(57)【要約】      （修正有）【課題】首輪の常時装着によるストレスが解消され、首輪の着脱がワンタッチででき、また首輪をサイズフリーで使用でき、愛犬家の両手の使用が可能となり、グリップベルトを防護柵や柱などにワンタッチで巻き付けでき、砂や塵が付着しても首輪の着脱に支障がなく、かつ錆びが発生しない首輪付ペット用リーシュを提供する。【解決手段】合成樹脂製の線状材からなるリーシュ１１と、リーシュの先端部に第１のスイベル１２を介して回転自在に連結され、かつ第１の面ファスナ１３によって着脱可能にペットの首に巻き付けられる首輪ベルト１４と、リーシュの元部に第２のスイベル１５を介して回転自在に連結され、かつ第２の面ファスナ１６によって環状に連結可能なグリップベルト１７とを備えた。【選択図】図１
0003193155.tif 000002
【実用新案登録請求の範囲】
【請求項１】
合成樹脂製の線状材からなるリーシュと、
該リーシュの先端部に第１のスイベルを介して回転自在に連結され、かつ第１の面ファスナによって着脱可能にペットの首に巻き付けられる首輪ベルトと、
前記リーシュの元部に第２のスイベルを介して回転自在に連結され、かつ第２の面ファスナによって環状に連結可能なグリップベルトとを備えたことを特徴とする首輪付ペット用リーシュ。
【請求項２】
前記グリップベルトの内面には、複数の滑り止め突起が配設されたことを特徴とする請求項１に記載の首輪付ペット用リーシュ。
【請求項３】
前記リーシュ、前記首輪ベルト、前記グリップベルトの少なくとも１つに、夜間点灯用の発光ダイオードが装着されたことを特徴とする請求項１または請求項２に記載の首輪付ペット用リーシュ。
【請求項４】
前記リーシュの途中部分には、連結リングを有するリーシュ用ジョイントが着脱可能に連結されたことを特徴とする請求項１〜請求項３のうち、何れか１項に記載の首輪付ペット用リーシュ。
【請求項５】
前記リーシュ用ジョイントは、ヒンジにより開閉可能に連結された表蓋および裏蓋と、閉蓋された前記表蓋および前記裏蓋の間に離間して配置され、かつ前記リーシュの途中部分がつづら折り状に掛け渡される複数本のリーシュ掛止ピンとを有した請求項４に記載の首輪付ペット用リーシュ。
【請求項６】
前記リーシュ用ジョイントは円筒ケーシングを有し、該円筒ケーシングの外周面には、該円筒ケーシングの軸線を中心とした円環状のスライド溝が形成され、
該スライド溝に、前記連結リングの元部がスライド自在に掛止されたことを特徴とする請求項４または請求項５のうち、何れか１項に記載の首輪付ペット用リーシュ。
【請求項７】
前記連結リングに補助握り輪用フックを介して元部が掛止され、かつ前記グリップベルトよりペットの首近くで前記リーシュを引くための補助握り輪を有したことを特徴とする請求項４〜請求項６のうち、何れか１項に記載の首輪付ペット用リーシュ。
【請求項８】
前記連結リングに多頭用フックを介して元部が掛止され、かつ前記リーシュに別のペットを繋ぐための多頭用リーシュを有し、該多頭用リーシュの先端部には、第３の面ファスナにより着脱可能に前記別のペットの首に巻き付けられる多頭用首輪ベルトが、第３のスイベルを介して回転自在に連結されたことを特徴とする請求項４〜請求項７のうち、何れか１項に記載の首輪付ペット用リーシュ。
【考案の詳細な説明】
【技術分野】
【０００１】
この考案は、犬などのペットを散歩させる際の手綱となる首輪付ペット用リーシュに関する。
【背景技術】
【０００２】
愛犬家が犬を散歩に連れて行く際には、ベルト状のリード（リーシュ）が使用される。一般的なリードは、例えば、特許文献１に開示されたもののように、先端部に犬の首輪に掛止される金属製のフックが設けられ、リードの元部に握り輪が連結された構造を具備している。
犬の散歩時にはフックをペットの首輪に掛止し、愛犬家が把持輪を手で持ちながらリードを引いてペットを誘導する。
【０００３】
しかしながら、首輪の着用は、犬にストレスを発生させる要因の１つであるため、屋内で飼われる犬の場合、帰宅後は首輪を外す場合が多い。従来の首輪はピンバックル式が大半であったため、外出時および帰宅時における首輪の着脱が面倒で、手間がかかっている。
また、人間の子供に比べて犬の成長は早く、中型犬や大型犬の場合、首回りのサイズも、ほんの数が月で従来のピンバックル式の首輪では対応できないほど大きくなっている。
さらに、従来のリードは握り輪付きのものであったため、犬の散歩時、愛犬家は、少なくとも片方の手でリードを掴んでおく必要がある。したがって、例えば、散歩途中で犬の排便処理をする際には、リードを掴んでいない他方の手だけで処理することとなり、不便である。
【０００４】
また、握り輪はリードの元部に分離不能に固定されている。そのため、例えば愛犬家が散歩中に犬を歩道の防護柵に繋ぎ、店舗でショッピングを楽しみたい場合には、握り輪の存在を無視してリードを柵に結び止めているのが現状である。
さらに、リードと首輪とを連結するフックには、開口部を塞ぐロック部材のロック機構に、ばねスライド式のものや、ばね回動式のものが採用されている。これにより、例えば浜辺を犬と散歩する際、砂がロック機構のスライド部分や回動部分に付着し、ロック機構が故障するおそれがある。
さらにまた、従来のフックは、犬が激しく動いても壊れない強度を得るため、鉄などの金属製のものが大半であった。そのため、犬の散歩途中で雨や海水に晒され、フックが錆びるおそれがある。
【先行技術文献】
【特許文献】
【０００５】
【特許文献１】特開２００３−１８９７５２号公報
【考案の概要】
【考案が解決しようとする課題】
【０００６】
本考案は、このような従来の問題点に鑑みなされたもので、首輪の常時装着によるストレスが解消され、首輪の着脱がワンタッチででき、また首輪をサイズフリーで使用することができ、さらに愛犬家の両手の使用が可能となり、グリップベルトを防護柵や柱などにワンタッチで巻き付けることができ、砂や塵が付着しても首輪の着脱に支障がなく、かつ錆びが発生しない首輪付ペット用リーシュを提供することを目的としている。
【課題を解決するための手段】
【０００７】
請求項１に記載の考案は、合成樹脂製の線状材からなるリーシュと、該リーシュの先端部に第１のスイベルを介して回転自在に連結され、かつ第１の面ファスナによって着脱可能にペットの首に巻き付けられる首輪ベルトと、前記リーシュの元部に第２のスイベルを介して回転自在に連結され、かつ第２の面ファスナによって環状に連結可能なグリップベルトとを備えたことを特徴とする首輪付ペット用リーシュである
【０００８】
請求項２に記載の考案は、前記グリップベルトの内面には、複数の滑り止め突起が配設されたことを特徴とする請求項１に記載の首輪付ペット用リーシュである。
【０００９】
請求項３に記載の考案は、前記リーシュ、前記首輪ベルト、および前記グリップベルトの少なくとも１つに、夜間点灯用の発光ダイオードが装着されたことを特徴とする請求項１または請求項２に記載の首輪付ペット用リーシュである。
【００１０】
請求項４に記載の考案は、前記リーシュの途中部分には、連結リングを有するリーシュ用ジョイントが着脱可能に連結されたことを特徴とする請求項１〜請求項３のうち、何れか１項に記載の首輪付ペット用リーシュである。
【００１１】
請求項５に記載の考案は、前記リーシュ用ジョイントは、ヒンジにより開閉可能に連結された表蓋および裏蓋と、閉蓋された前記表蓋および前記裏蓋の間に離間して配置され、かつ前記リーシュの途中部分がつづら折り状に掛け渡される複数本のリーシュ掛止ピンとを有した請求項４に記載の首輪付ペット用リーシュである。
【００１２】
請求項６に記載の考案は、前記リーシュ用ジョイントは円筒ケーシングを有し、該円筒ケーシングの外周面には、該円筒ケーシングの軸線を中心とした円環状のスライド溝が形成され、該スライド溝に、前記連結リングの元部がスライド自在に掛止されたことを特徴とする請求項４または請求項５のうち、何れか１項に記載の首輪付ペット用リーシュである。
【００１３】
請求項７に記載の考案は、前記連結リングに補助握り輪用フックを介して元部が掛止され、かつ前記グリップベルトよりペットの首近くで前記リーシュを引くための補助握り輪を有したことを特徴とする請求項４〜請求項６のうち、何れか１項に記載の首輪付ペット用リーシュである。
【００１４】
請求項８に記載の考案は、前記連結リングに多頭用フックを介して元部が掛止され、かつ前記リーシュに別のペットを繋ぐための多頭用リーシュを有し、該多頭用リーシュの先端部には、面ファスナにより着脱可能に前記別のペットの首に巻き付けられる多頭用首輪ベルトが、第３のスイベルを介して回転自在に連結されたことを特徴とする請求項４〜請求項７のうち、何れか１項に記載の首輪付ペット用リーシュである。
【００１５】
首輪付ペット用リーシュが適用されるペットとしては、例えば、犬、猫等を採用することができる。このうち、犬が好適である。
リーシュとは、合成樹脂（合成樹脂エラストマー、合成ゴムなどを含む）からなる断面円形の中実な線状材で（もちろん、中空であってもよい）、若干の伸縮性を有した方が、突然、ペットが走り出した時の衝撃を緩和することができて好ましい。
リーシュの原料となる合成樹脂としては、例えば、サーフィン用のリーシュと同一素材であるウレタン系熱可塑性エラストマーの他、スチレン系熱可塑性エラストマー、オレフィン系熱可塑性エラストマー、塩化ビニル系熱可塑性エラストマー、アミド系熱可塑性エラストマー、ポリエステル系熱可塑性エラストマー、シリコーン樹脂エラストマーなどを採用することができる。
【００１６】
リーシュの直径は、ペットの種類およびペットの大きさにより適宜変更される。例えば、中型犬の場合、５〜１０ｍｍ、好ましくは６〜８ｍｍである。
リーシュの長さは、散歩中にペットを誘導し易い例えば１００〜２００ｃｍ、好ましくは１５０〜１８０ｃｍである。
第１〜第３の面ファスナの種類は限定されない。フック型面ファスナとループ型面ファスナとからなるものでも、フック型とループ型との兼用型の面ファスナでもよい。
【００１７】
首輪ベルトおよびグリップベルトの素材としては、例えば皮革、布、各種の合成樹脂を採用することができる。肌との接触感をソフトにするため、各ベルトの内部に各種のクッション材を設けてもよい。
首輪ベルトのサイズは、ペットの種類およびペットの大きさにより適宜変更される。
また、グリップベルトのサイズは任意であるものの、成人の愛犬家が握り輪として握り易いように、愛犬家の手のサイズにより、適宜変更される。
さらに、グリップベルトの内面には、複数の滑り止め突起を配設した方が望ましい。これにより、散歩中の手の滑りを防止でき、また柱等に締結した際の締結力も高まる。滑り止め突起の形状、素材およびサイズ、形成数は任意である。
【００１８】
首輪ベルトおよびグリップベルトにおいて、第１〜第３のスイベルの取り付け位置は任意である。例えば、各ベルトの長さ方向の中間部でも、一端部でもよい。
第１〜第３のスイベルは、各首輪ベルトまたはグリップベルトに、連結対象物のリーシュを軸線回りに回転自在に支持できれば、その素材や形状は限定されない。第１〜第３のスイベルは、同一のものでもよい。
また、リーシュ、首輪ベルト、およびグリップベルトの少なくとも１つに、夜間点灯用の発光ダイオードを装着した方が、夜間散歩時におけるペットの歩行位置が車両の運転者に視認し易くなり、ペットの交通事故の発生件数を減らすことができる。なお、発光ダイオードが設けられるリーシュおよび首輪ベルトは、多頭用リーシュおよび多頭用首輪ベルトを含むものとする。
発光ダイオードの発光は、連続点灯でも、所定時間毎の点滅でもよい。
発光ダイオードの使用数は任意である。１個でも２個以上でもよい。
【００１９】
リーシュの途中部分には、連結リングを有するリーシュ用ジョイントが着脱可能に連結させることもできる。連結リングは多用途の部材である。例えば、この連結リングに、補助握り輪用フックを介して、グリップベルトよりペットの首近くでリーシュを引くための補助握り輪を連結したり、多頭用フックを介してリーシュに別のペットを繋ぐための多頭用リーシュを連結してもよい。その他、ペットの排泄物の処理用品を収納した袋などを連結してもよい。リーシュ用ジョイントが連結されるリーシュの長さ方向の位置は任意である。なお、リーシュ用ジョイントが連結されるリーシュは、多頭用リーシュを含む。
【００２０】
リーシュ用ジョイントの構造は任意である。例えば、ヒンジにより開閉可能に連結された表蓋および裏蓋と、閉蓋された表蓋および裏蓋の間に離間して配置され、かつリーシュの途中部分がつづら折り状に掛け渡される複数本のリーシュ掛止ピンとを有したものを採用することができる。この場合のリーシュへのリーシュ用ジョイントの装着時には、ヒンジを介して表裏蓋を開き、リーシュの途中部分を複数本のリーシュ掛止ピンにつづら折り状に掛け渡した後、表裏蓋を閉じる。これにより、簡単にリーシュ用ジョイントをリーシュに装着することができる。リーシュ用ジョイントを取り外す場合には、上述した操作を反対に行う。
【００２１】
また、リーシュ用ジョイントの別の構造として、例えば、円筒ケーシングの外周面に、円筒ケーシングの軸線を中心とした円環状のスライド溝を形成し、このスライド溝に、連結リングの元部をスライド自在に掛止したものを採用してもよい。この構造を採用すれば、例えば散歩中、リーシュが捩れても前記補助握り輪がリーシュの軸線回りを回転することがない。これは、自重の作用で補助握り輪が常にリーシュ用ジョイントの鉛直位置に配置されるためである。また、前記多頭用リーシュを連結した場合には、散歩中に各リーシュに繋いだペットが交差しても、連結リングがスライド溝に沿ってジョイントの外周面を回転するだけで、リーシュは絡まりにくい。
【考案の効果】
【００２２】
請求項１に記載の考案によれば、リーシュと首輪とを一体化したため、帰宅後にリーシュとともに首輪を外すことができ、犬などのペットにとって首輪を常時装着するストレスが解消される。また、首輪を第１の面ファスナ付きの首輪ベルトにより構成したため、首輪の着脱がワンタッチでできるとともに、ペットの大きさに拘わらず、首輪をサイズフリーで使用することができる。さらに、首輪ベルトは第１の面ファスナにより締結されるため、砂浜の散歩時に砂や塵が首輪付近に付着しても、首輪の着脱に支障がなく、かつ錆びも発生しない。
また、握り輪として第２の面ファスナ付きのグリップベルトを採用したため、グリップベルトを愛犬家の手首に巻き付けることで、散歩中でも両手の使用が可能となり、例えば散歩途中でのペットの排便処理が容易となる。また、グリップベルトは防護柵や柱などにもワンタッチで巻き付けることができため、例えば散歩中にペットを歩道の防護柵に繋ぎ、愛犬家は店舗でショッピングを楽しむこともできる。
【００２３】
特に、請求項２に記載の考案によれば、グリップベルトの内面に複数の滑り止め突起を配設したため、散歩中の手の滑りを防止できるとともに、柱等に締結した際の締結力も高まる。
【００２４】
また、請求項３に記載の考案によれば、リーシュ、首輪ベルト、およびグリップベルトの少なくとも１つに、夜間点灯用の発光ダイオードを装着したため、夜間散歩時におけるペットの歩行位置が車両の運転者に視認し易くなり、ペットの交通事故の発生件数を減らすことができる。
【００２５】
請求項４に記載の考案によれば、リーシュの途中部分に、多用途の連結リングを有するリーシュ用ジョイントを着脱可能に連結したため、必要に応じて、リーシュの使用中に利用される部材をリーシュに連結することができる。
【００２６】
請求項５に記載の考案によれば、リーシュ用ジョイントとして、閉蓋された表裏蓋の内部空間に配置された複数本のリーシュ掛止ピンに、リーシュの途中部分をつづら折り状に掛け渡す構造のものを採用したため、簡単にリーシュ用ジョイントをリーシュに装着することができる。また、このジョイントの取り外し時には、表裏蓋を開蓋し、各リーシュ掛止ピンからリーシュを外すことにより、簡単にリーシュ用ジョイントをリーシュから離脱できる。
【００２７】
請求項６に記載の考案によれば、円筒ケーシングの外周面に円環状のスライド溝を形成し、このスライド溝に、連結リングの元部をスライド自在に掛止したため、例えば散歩中、リーシュが捩れても、この捩れに伴って、連結リングに連結された補助握り輪などの部材がリーシュの軸線回りを回転しにくい。これは、自重の作用で補助握り輪が常にリーシュ用ジョイントの鉛直位置に配置されるためである。また、連結リングに多頭用リーシュを連結した場合には、散歩中に各リーシュに繋いだペットが交差しても、連結リングがスライド溝に沿ってジョイントの外周面を回転するだけで、リーシュが絡まりにくい。
【００２８】
請求項７に記載の考案によれば、リーシュ用ジョイントの連結リングに補助握り輪を連結するように構成したため、例えば散歩中に歩行者とすれ違う場合、愛犬家が、リーシュの持ち手をグリップベルトから補助握り輪に代えることで、グリップベルトよりペットの首近くでリーシュを引き、ペットを愛犬家の足元に控えさせることができる。
【００２９】
請求項８に記載の考案によれば、リーシュ用ジョイントの連結リングに多頭用リーシュを連結するように構成したため、１本のリーシュで複数匹のペットを誘導することができる。
【図面の簡単な説明】
【００３０】
【図１】この考案の実施例１に係る首輪付ペット用リーシュの斜視図である。
【図２】この考案の実施例１に係る首輪付ペット用リーシュの使用状態を示す斜視図である。
【図３】この考案の実施例１に係る首輪付ペット用リーシュの一部を構成する首輪ベルトの他の形態を示す斜視図である。
【図４】この考案の実施例２に係る首輪付ペット用リーシュの一部を構成するリーシュ用ジョイントの斜視図である。
【図５】この考案の実施例２に係る首輪付ペット用リーシュの一部を構成するリーシュ用ジョイントの開蓋状態を示す正面図である。
【図６】この考案の実施例３に係る首輪付ペット用リーシュの使用状態を示す斜視図である。斜視図である。
【考案を実施するための形態】
【００３１】
以下、この考案の実施例を具体的に説明する。ここでは、屋内犬に適用される首輪付ペット用リーシュを例とする。
【実施例】
【００３２】
図１および図２において、１０はこの考案の実施例１に係る首輪付ペット用リーシュ（以下「ペット用リーシュ」ともいう）で、このペット用リーシュ１０は、中型の屋内犬用のもので、合成樹脂製の線状材からなるリーシュ１１と、リーシュ１１の先端部に第１のスイベル１２を介して回転自在に連結され、かつ第１の面ファスナ１３によって着脱可能に犬の首に巻き付けられる首輪ベルト１４と、リーシュ１１の元部に第２のスイベル１５を介して回転自在に連結され、かつ第２の面ファスナ１６によって環状に連結可能なグリップベルト１７とを備えている。
【００３３】
以下、これらの構成部品を具体的に説明する。
リーシュ１１は、シリコーン樹脂エラストマーからなる直径８ｍｍ、長さ１５０ｃｍのものである。そのため、手綱としての強靭性と、犬が突然走り出した時の衝撃を緩和するための適度な伸縮性とを有する。
首輪ベルト１４は人工皮革からなり、その長さ方向の中間部の外面に樹脂モールドされた第１のスイベル１２が突設されている。また、首輪ベルト１４の一端部の内面には、第１のループ型面ファスナ１３Ａが固定されている。一方、首輪ベルト１４の他端部の外面には、第１のフック型ファスナ１３Ｂが固定されている。また、首輪ベルト１４の他端部の先端には、首輪ベルト１４の巻き付け状態を解除する際に利用される、布帯を環状に縫着した第１の指掛け輪１８Ａが固定されている。
【００３４】
グリップベルト１７は、人工皮革からなるベルト本体１９を厚地布製の緩衝チューブ２０によって被覆したもので、緩衝チューブ２０によりグリップベルト１７を握った感触をソフトにしている。
グリップベルト１７の長さ方向の一端部の外面には、樹脂モールドされた第２のスイベル１５が突設されている。また、グリップベルト１７の一端部の内面には、第２のループ型面ファスナ１６Ａが固定されている。一方、グリップベルト１７の他端部の外面には、第２のフック型ファスナ１６Ｂが固定されている。このグリップベルト１７の他端部の先端には、グリップベルト１７の巻き付け状態を解除する際に利用される、布帯を環状に縫着した第２の指掛け輪１８Ｂが固定されている。さらに、グリップベルト１７の長さ方向の中間部一帯の内面には、複数の半球状の滑り止め突起２１が配設されている。
なお、図３に示すように、リーシュ１１としてチューブ状のものを採用し、リーシュ１１の管内に夜間点滅用の複数の発光ダイオード２２を所定ピッチで配設したり、首輪ベルト１４の外周面に同様に複数の発光ダイオード２２を所定ピッチで配設してもよい。これにより、夜間散歩時における犬の歩行位置が自動車の運転者に視認し易くなり、犬の交通事故の発生件数を減らすことができる。なお、発光ダイオードに代えて、蛍光材料をもちいてもよい。
【００３５】
次に、図１および図２を参照して、この考案の実施例１に係るペット用リーシュ１０の使用方法を説明する。
図２に示すように、犬を屋外で散歩させる際、愛犬家は犬の首に首輪ベルト１４を巻き付け、第１のループ型面ファスナ１３Ａに第１のフック型面ファスナ１３Ｂを係止する。一方、握り輪となるグリップベルト１７を、愛犬家の手のサイズに合わせて、第２のループ型面ファスナ１６Ａに第２のフック型面ファスナ１６Ｂを係止して環状体とする。
その後、愛犬家がグリップベルト１７の握り輪を握り、屋外に出て所定ルートで散歩する。このとき、ペット用リーシュ１０は従来の手綱と遜色なく使用される。
【００３６】
このように、リーシュ１１と首輪ベルト１４とを一体化したため、帰宅後はリーシュ１１とともに首輪を外すことができ、犬などのペットにとって首輪を常時装着するストレスが解消される。また、首輪を第１の面ファスナ１３付きの首輪ベルト１４により構成したため、首輪の着脱がワンタッチでできるとともに、犬の大きさに拘わらず、首輪ベルト１４をサイズフリーで使用することができる。さらに、首輪ベルト１４は第１の面ファスナ１３により締結されるため、砂浜の散歩時に砂や塵が首輪付近に付着しても、首輪ベルト１４の着脱に支障がなく、かつ錆びも発生しない。
また、握り輪として第２の面ファスナ１６付きのグリップベルト１７を採用したため、グリップベルト１７を愛犬家の片方の手首に巻き付けることで、散歩中でも両手の使用が可能となり、例えば散歩途中での犬の排便処理が容易となる。さらに、グリップベルト１７は防護柵や柱などにもワンタッチで巻き付けることができため、例えば散歩中に犬を歩道の防護柵に繋ぎ、愛犬家は店舗でショッピングを楽しむこともできる。
【００３７】
さらにまた、グリップベルト１７の内面に複数の滑り止め突起２１を配設したため、散歩中の手の滑りを防止できるとともに、柱等に締結した際の締結力も高まる。
また、リーシュ１１および首輪ベルト１４に、夜間点滅用の発光ダイオード２２を装着すると（図３）、夜間の散歩時における犬の歩行位置が、夜間走行中の自動車の運転者に視認し易くなり、犬の交通事故の発生件数を減らすことができる。
【００３８】
次に、図４および図５を参照して、この考案の実施例２に係る首輪付ペット用リーシュを説明する。
実施例２のペット用リーシュ１０Ａの特徴は、リーシュ１１の途中部分に、多機能な連結リング３０を有するリーシュ用ジョイント３１が着脱可能に連結され、この連結リング３０に、グリップベルト１７より犬の首近くでリーシュ１１を引くための補助握り輪３２が、補助握り輪用フック３３を介して掛止された点である。
【００３９】
以下、これらの構成部品を具体的に説明する。
リーシュ用ジョイント３１は、ヒンジ３４により開閉可能に連結され、かつリーシュ１１の導入口３５と導出口３６とが、両蓋３７，３８の突き合わせ部分にそれぞれ２分割状態で配設された表蓋３７および裏蓋３８と、閉蓋された表蓋３７および裏蓋３８の間に離間して配置され、かつリーシュ１１の途中部分がつづら折り状に掛け渡される２本のリーシュ掛止ピン３９とを有している。ヒンジ３４、表蓋３７および裏蓋３８は、リーシュ用ジョイント３１の本体となる円筒ケーシング４０を構成する。円筒ケーシング４０の外周面には、円筒ケーシング４０の軸線を中心とした円環状のスライド溝４１が形成され、スライド溝４１に、連結リング３０の元部のボール３０ａがスライド自在に掛止されている。
【００４０】
次に、図４および図５を参照して、この実施例２のペット用リーシュ１０Ａの使用方法を説明する。
図５に示すように、犬の散歩に先だって、愛犬家はリーシュ用ジョイント３１の表裏蓋３７，３８を閉蓋し、リーシュ１１の先端部付近を導入口３５と導出口３６に通すとともに、表裏蓋３７，３８の内部空間に配置された２本のリーシュ掛止ピン３９につづら折り状に掛け渡す。その後、表裏蓋３７，３８を閉蓋することで、リーシュ用ジョイント３１を介して、補助握り輪３２が犬の首輪の近くに配備される。
散歩中、歩行者とすれ違う際には、愛犬家は、リーシュ１１の持ち手をグリップベルト１７の握り輪から補助握り輪３２に変更する。これにより、愛犬家は犬の首近くでリーシュ１１を引くことができ、自分の足元に犬を控えさせ、歩行者を安全に通過させることができる。
【００４１】
このように、リーシュ１１の途中部分に、連結リング３０を有するリーシュ用ジョイント３１を着脱可能に連結したため、必要に応じて補助握り輪３２をリーシュ１１に連結することができる。
また、リーシュ用ジョイント３１として、閉蓋された表裏蓋３７，３８の内部空間に配置された２本のリーシュ掛止ピン３９に、リーシュ１１の途中部分をつづら折り状に掛け渡す構造のものを採用したため、簡単にリーシュ用ジョイント３１をリーシュ１１の元部、その他の任意位置に、着脱することができる。
【００４２】
さらに、リーシュ用ジョイント３１の本体となる円筒ケーシング４０の外周面に円環状のスライド溝４１を形成し、このスライド溝４１に、連結リング３０のボール３０ａをスライド自在に掛止したため、例えば散歩中、リーシュ１１が捩れても、この捩れに伴って、連結リング３０に連結された補助握り輪３２がリーシュ１１の軸線回りを回転しにくい。これは、自重の作用で補助握り輪３２が常にリーシュ用ジョイント３１の鉛直位置に配置されるためである。その結果、とっさの利用が予想される補助握り輪３２を、常時一定の位置に配置することができる。
その他の構成、作用および効果は、実施例１と同じであるため、説明を省略する。
【００４３】
次に、図６を参照して、この考案の実施例３に係るペット用リーシュを説明する。
図６に示すように、実施例３のペット用リーシュ１０Ｂの特徴は、連結リング３０に多頭用フック５０を介して元部が掛止され、かつリーシュ１１にもう１匹の犬を繋ぐための多頭用リーシュ１１Ａを有し、多頭用リーシュ１１Ａの先端部には、第３の面ファスナ５１（第３のループ型面ファスナおよび第３のフック型面ファスナ）により着脱可能に別の犬の首に巻き付けられる多頭用首輪ベルト１４Ａが、第３のスイベル５２を介して回転自在に連結された点である。
【００４４】
以下、これらの構成部品を具体的に説明する。
多頭用リーシュ１１Ａは実施例１のリーシュ１１に比べて短尺なものである。多頭用リーシュ１１Ａの先端部には、実施例１の首輪ベルト１４と同一の多頭用首輪ベルト１４Ａが、第１、第２のスイベル１２，１５と同一の第３のスイベル５２を介して連結されている。
【００４５】
このように、リーシュ用ジョイント３１の連結リング３０に多頭用リーシュ１１Ａを連結するように構成したため、１本のリーシュ１１で２匹の犬を誘導することができる。しかも、この連結リング３０は、スライド溝４１に沿って円筒ケーシング４０の軸線回りをスライド自在に周転する。そのため、散歩中に各リーシュ１１，１１Ａに繋いだ犬が交差しても、連結リング３０がスライド溝４１に沿ってリーシュ用ジョイント３１の外周面を回転するだけで、各リーシュ１１，１１Ａが絡まりにくい。
その他の構成、作用および効果は、実施例１から推測可能な範囲であるため、説明を省略する。
【産業上の利用可能性】
【００４６】
この考案は、犬などのペットを散歩させる際の手綱として有用である。
【符号の説明】
【００４７】
１０，１０Ａ，１０Ｂ  首輪付ペット用リーシュ
１１，１１Ａ  リーシュ
１２  第１のスイベル
１３  第１の面ファスナ
１４  首輪ベルト
１５  第２のスイベル
１６  第２の面ファスナ
１７  グリップベルト
２１  滑り止め突起
２２  発光ダイオード
３１  リーシュ用ジョイント
３４  ヒンジ
３５  導入口
３６  導出口
３７  表蓋
３８  裏蓋
３９  リーシュ掛止ピン
４０  円筒ケーシング
４１  スライド溝
３３  補助握り輪用フック
３２  補助握り輪
５０  多頭用フック
１１Ａ  多頭用リーシュ
５１  第３の面ファスナ
１４Ａ  多頭用首輪ベルト
５２  第３のスイベル
【図１】
0003193155.tif 000003
【図２】
0003193155.tif 000004
【図３】
0003193155.tif 000005
【図４】
0003193155.tif 000006
【図５】
0003193155.tif 000007
【図６】
0003193155.tif 000008